(57)【要約】【課題】ソレノイドベースの作動装置に関連する電磁環境両立性（ＥＭＣ）及びフライバック電圧に関する問題と最小化し、パッケージ空間要件を最小化する。【解決手段】照明システム用作動装置システムは、照明システムのコンポーネントの作動を制御して複数の光パターンを生成するように、コンポーネントに連結された形状記憶合金と、その形状記憶合金と電気通信する電気制御回路とを含み、電気制御回路は、形状記憶合金に電流を選択的に提供して、形状記憶合金の物理的特性を制御し、これにより照明システムのコンポーネントの動きを制御する。【選択図】図１
2010179916.tif 000002
【特許請求の範囲】
【請求項１】
照明システム用作動装置システムであって、
前記コンポーネントの作動を制御して複数の光パターンを生成するように前記照明システムのコンポーネントに連結された形状記憶合金と、
前記形状記憶合金と電気通信する電気制御回路であって、前記形状記憶合金に電流を選択的に提供して、前記形状記憶合金の物理的特性を制御して前記照明システムの前記コンポーネントの前記動きを制御する電気制御回路と、
を含む、作動装置システム。
【請求項２】
前記照明システムの前記コンポーネントをデフォルト位置に方向付けるように適合された付勢デバイスを更に含む、請求項１に記載の作動装置システム。
【請求項３】
前記電気制御回路は、電流の伝送を制御するためのプログラマブル機能を含む、請求項１に記載の作動装置システム。
【請求項４】
前記形状記憶合金は、前記ビーム変更器の光源に対する位置を制御して、前記ビーム変更器によって生成される光パターンを変更するために前記照明システムのビーム変更器に連結される、請求項１に記載の作動装置システム。
【請求項５】
前記ビーム変更器は、前記光源から出射された光線の一部をブロックするシールドと、前記光線の一部を反射する反射器と、特定のビームパターンを形成するように光線を方向付けるレンズと、前記光線のスペクトル特性を変更するためのフィルタとのうち少なくとも１つを含む、請求項４に記載の作動装置システム。
【請求項６】
前記形状記憶合金は回転要素に連結され、前記回転要素は、前記ビーム変更器の光源に対する位置を制御して、前記ビーム変更器によって生成される光パターンを変更するために前記照明システムのビーム変更器に連結される、請求項１に記載の作動装置システム。
【請求項７】
前記形状記憶合金は、前記光源の前記照明システムのビーム変更器に対する位置を制御して、前記ビーム変更器によって生成される光パターンを変更するように、光源に連結される、請求項１に記載の作動装置システム。
【請求項８】
複数の光線を出射するための光源と、
光パターンを生成するように前記光線の経路内に配置されたビーム変更器と、
前記光源、前記ビーム変更器及び静的表面のうちの少なくとも１つに連結された形状記憶合金であって、前記形状記憶合金は、前記光源及び前記ビーム変更器のうちの少なくとも１つの動きを制御する形状記憶合金と、
前記形状記憶合金と電気通信する電気制御回路であって、前記形状記憶合金に電流を選択的に提供して前記形状記憶合金の動きを発生させ、これにより前記光源及び前記ビーム変更器のうちの少なくとも１つの動きを発生させて、前記ビーム変更器によって生成された前記光パターンを変更する電気制御回路と、
を含む、光制御システム。
【請求項９】
前記ビーム変更器は、前記光源から出射された光線の一部をブロックするシールド、前記光線の一部を反射する反射器、特定のビームパターンを形成するように光線を方向付けるレンズ、及び前記光線のスペクトル特性を変更するためのフィルタのうちの少なくとも１つを含む、請求項８に記載の作動装置システム。
【請求項１０】
前記電気制御回路は、電流の伝送を制御するためのプログラマブル機能を含む、請求項８に記載の光制御システム。
【請求項１１】
前記形状記憶合金は、前記ビーム変更器を軸を中心にして回転させて、前記前記ビーム変更器によって生成される光パターンを変更するように、前記ビーム変更器に連結される、請求項８に記載の光制御システム。
【請求項１２】
前記形状記憶合金は回転要素に連結され、前記回転要素は、前記ビーム変更器を軸を中心にして回転させて、前記ビーム変更器によって生成される光パターンを変更するように、前記ビーム変更器に連結される、請求項８に記載の光制御システム。
【請求項１３】
前記形状記憶合金は回転要素に連結され、前記回転要素は、前記ビーム変更器を所定の動き経路に沿ってガイドして、前記ビーム変更器によって生成される光パターンを変更するように、前記ビーム変更器に連結される、請求項８に記載の光制御システム。
【請求項１４】
光制御システムであって、
複数の光線を出射するための光源と、
光パターンを生成するように前記光線の経路内に配置されたビーム変更器と、
作動装置システムとを含み、
前記作動装置システムは、
取付部及びガイド部を有する本体であって、前記取付部は前記ビーム変更器に連結される本体と、
前記本体の前記ガイド部を受け入れて前記本体の動きを方向付けるために内部に空洞を有する作動装置ガイドと、
前記本体と前記作動装置ガイドとの間に配置された付勢デバイスと、
前記本体と前記作動装置ガイド及び静的表面のうちの少なくとも１つとに連結された形状記憶合金であって、前記本体の前記動きを制御することで前記ビーム変更器の動きを制御する形状記憶合金と、
前記形状記憶合金と電気通信する電気制御回路であって、前記形状記憶合金に電流を選択的に提供して、前記形状記憶合金の物理的特性を制御し、これにより前記本体の前記動きを制御する電気制御回路とを含む、光制御システム。
【請求項１５】
前記作動装置ガイドは、車両用のヘッドランプシステムのハウジング、ブラケット、及び反射器のうちの少なくとも１つの内部に配置される、請求項１４に記載の作動装置システム。
【請求項１６】
前記ビーム変更器は、前記光源から出射された光線の一部をブロックするシールド、前記光線の一部を反射する反射器、特定のビームパターンを形成するように光線を方向付けるレンズ、及び前記光線のスペクトル特性を変更するためのフィルタのうちの少なくとも１つを含む、請求項１４に記載の作動装置システム。
【請求項１７】
前記電気制御回路は、電流の伝送を制御するためのプログラマブル機能を含む、請求項１４に記載の光制御システム。
【請求項１８】
前記本体の前記取付部は、前記ビーム変更器を軸を中心にして回転させて、前記ビーム変更器によって生成される光パターンを変更するように、前記ビーム変更器に連結される、請求項１４に記載の光制御システム。
【請求項１９】
前記本体の前記取付部は回転要素に連結され、前記回転要素は、前記ビーム変更器を軸を中心にして回転させて、前記ビーム変更器によって生成される光パターンを変更するように、前記ビーム変更器に連結される、請求項１４に記載の光制御システム。
【請求項２０】
前記本体の前記取付部は回転要素に連結され、前記回転要素は、前記ビーム変更器を所定の動き経路に沿ってガイドして、前記ビーム変更器によって生成される光パターンを変更するように、前記ビーム変更器に連結される、請求項１４に記載の光制御システム。
【発明の詳細な説明】
【技術分野】
【０００１】
本発明は、照明システムに関する。より詳細には、本発明は、複数の光パターンを生成するための照明システム用作動装置システムに関する。
【背景技術】
【０００２】
現在、いくつかの自動車用ヘッドランプにおいて、複数の光パターンを生成するためのハイ／ロービームシールドの作動を提供するソレノイドが用いられている。しかし、ソレノイドは電磁場を発生させ、これはフライバック電圧と相まって、種々の製造及び動作上の問題の原因となる。さらに、ソレノイドは比較的大量のパッケージ空間を必要とする。これらの問題は解決可能であるものの、現行の解決策は高コストである。また、コスト及び上記の制約に起因して、他の照明システム中での可動要素の実装が不可能になることが多い。
【０００３】
ソレノイドベースの作動装置に関連する電磁環境両立性（electromagnetic compatibility：ＥＭＣ）問題は、典型的には電磁電荷を適切な接地平面に移すための部品を追加することにより解決されことが多い。フライバック電圧の問題は、典型的には電圧の制御及び調整用のコンポーネントを追加することにより解決されることが多い。ＥＭＣ及び電圧を解決するために部品及びコンポーネントを追加すると、システムの全体的なコストが増加する。ソレノイドは典型的にはヘッドランプアセンブリ内にパッケージされ、そのため、他の機能要素または視覚的要素をパッケージする能力が限定される。さらに、特定のシステムの場合、空間的、構造的及び電気的な制約が有ることがあり、そのため、従来の解決策の実行が妨げられる。
【０００４】
複数の光パターンを生成するための照明システム用作動装置システムを開発することが望まれている。前記作動システムは、ソレノイドベースの作動装置に関連する電磁コンプライアンス及び電圧に関する問題を最小化し、パッケージ空間要件を最小化する。
【発明の概要】
【０００５】
本発明に基づいて、複数の光パターンを生成するための照明システム用作動装置システムが、驚くべきことに発見された。前記作動システムは、ソレノイドベースの作動装置に関連する電磁環境両立性及び電圧に関する問題を最小化し、パッケージ空間要件を最小化する。
【０００６】
一実施形態において、照明システム用作動装置システムは、形状記憶合金であって、前記照明システムのコンポーネントの作動を制御して複数の光パターンを生成するように前記コンポーネントに連結された形状記憶合金と、前記形状記憶合金と電気通信する電気制御回路であって、前記形状記憶合金に電流を選択的に提供して、前記形状記憶合金の物理的特性を制御して前記照明システムの前記コンポーネントの前記動きを制御する電気制御回路と、を含む。
【０００７】
別の実施形態において、光制御システムは、複数の光線を出射するための光源と、光パターンを生成するように前記光線の経路内に配置されたビーム変更器と、前記光源、前記ビーム変更器及び静的表面のうちの少なくとも１つに連結された形状記憶合金であって、前記光源及び前記ビーム変更器のうちの少なくとも１つの動きを制御する形状記憶合金と、前記形状記憶合金と電気通信する電気制御回路であって、前記形状記憶合金に電流を選択的に提供して前記形状記憶合金の動きを発生させ、これにより前記光源及び前記ビーム変更器のうちの少なくとも１つの動きを発生させて、前記ビーム変更器によって生成された前記光パターンを変更する電気制御回路と、を含む。
【０００８】
別の実施形態において、光制御システムは、複数の光線を出射するための光源と、光パターンを生成するように前記光線の経路内に配置されたビーム変更器と、作動装置システムとを含み、作動装置システムは、取付部及びガイド部を有する本体であって、前記取付部は前記ビーム変更器に連結される本体と、内部に前記本体のガイド部を受け入れて前記本体の動きを方向付けるための空洞を有する作動装置ガイドと、前記本体と前記作動装置ガイドとの間に配置された付勢デバイスと、前記本体と前記作動装置ガイド及び静的表面のうちの少なくとも１つとに連結された形状記憶合金であって、前記本体の動きを制御することで前記ビーム変更器の動きを制御する形状記憶合金と、前記形状記憶合金と電気通信する電気制御回路であって、前記形状記憶合金に電流を選択的に提供して、前記形状記憶合金の物理的特性を制御し、これにより前記本体の前記動きを制御する電気制御回路と、を含む。
【０００９】
当業者であれば、本発明の上記及び他の利点は、以下の好適な実施形態の詳細な説明を添付図面と共に読むことにより、容易に明らかとなるであろう。
【図面の簡単な説明】
【００１０】
【図１】本発明の一実施形態による作動装置システムの模式断面図である。
【図２】本発明の別の実施形態による、図１の作動装置システムに連結された光制御システムの模式的な正面図である。図示されているこの作動装置システムは断面が図示されており、図示されている光制御システムはデフォルト位置にある。
【図３】図３は、図２の光制御システムが図１の作動装置システムに連結されている様子を示す模式的な正面図であり、図示されているこの作動装置システムは断面が図示されており、図示されている光制御システムは収縮位置にある。
【図４】図４は、本発明の別の実施形態による、図１の作動装置システムに連結された光制御システムの模式的な正面図であり、図示されているこの作動装置システムは断面が図示されており、図示されている光制御システムはデフォルト位置にある。
【図５】図５は、図１の作動装置システムに連結された図４の光制御システムの模式的な正面図であり、図示されているこの作動装置システムは断面が図示されており、図示されている光制御システムは収縮位置にある。
【図６】本発明の別の実施形態による、図１の作動装置システムに連結された光制御システムの模式的な正面図であり、図示されているこの作動装置システムは断面が図示されており、図示されている光制御システムはデフォルト位置にある。
【図７】図１の作動装置システムに連結された図６の光制御システムの模式的な正面図であり、図示されているこの作動装置システムは断面が図示されており、図示されている光制御システムは収縮位置にある。
【図８】本発明の別の実施形態による、図１の作動装置システムに連結された光制御システムの模式的な側面図であり、図示されているこの作動装置システムは断面が図示されており、図示されている光制御システムはデフォルト位置にある。
【図９】図１の作動装置システムに連結された図８の光制御システムの模式的な側面図であり、図示されているこの作動装置システムは断面が図示されており、図示されている光制御システムは収縮位置にある。
【発明を実施するための形態】
【００１１】
以下の詳細な説明及び添付図面は、本発明の多様な実施形態を説明及び例示する。説明及び図面は、当業者による本発明の作製及び利用を可能にするためのものであり、如何様にも本発明の範囲を限定することは意図していない。
【００１２】
図１は、本発明の一実施形態による作動装置システム１０を示す。図示のように、作動装置システム１０は、本体１２、作動装置ガイド１４、付勢要素１６、形状記憶合金１８、及び制御回路２０を含む。
【００１３】
本体１２は典型的には、金属から形成される。しかし、硬質プラスチックなどの他の材料を用いてもよい。本体１２は、ガイド部２２及び取付部２４を含む。図示のように、ガイド部２２は、実質的に「Ｔ」字型形状を有し、ガイド部２２の第１の端部２８から空間を隔てて設けられた付勢表面２６を有する。図示の実施形態において、第１の端部２８は、実質的に弓形形状を有する。しかし、ガイド部２２は、任意の形状及びサイズでよい。ガイド部２２の第１の端部２８は、作動装置ガイド１４の壁部３２によって画定された空洞３０内に配置される。よって、ガイド部２２は、作動装置ガイド１４と協働して、本体１２の動きを方向付けかつガイドする。非限定的な例として、本体１２の動きは、一次元の直線移動に限られる。特定の実施形態において、本体１２の取付部２４は、車両ヘッドランプシステムのコンポーネントを制御して前記照明システムの光パターンを制御するように、前記コンポーネントと連結される。前記光パターンの制御は、光線の方向、出射光の強度、出射光の色、光線の遮断、及び光線の分布パターンの変更のうちの少なくとも１つを含むことができることが理解される。取付部２４は、例えばシールド、光源、レンズ、反射器及びビーム変更器などの任意のコンポーネントに連結できることが更に理解される。
【００１４】
作動装置ガイド１４は、本体１２のガイド部２２を受け入れるように形成される。すなわち、作動装置ガイド１４の壁部３２は、本体１２のガイド部２２を受け入れるのに適した形状を有する空洞３０を画定する。特定の実施形態において、作動装置ガイド１４は、車両用ヘッドランプシステムのハウジング、ブラケット及び反射器のうちの少なくとも１つの中に形成される。しかし、作動装置ガイド１４を別個に形成し、作動装置ガイド１４を固定表面に連結することにより後で車両システム内に一体化させてもよいことが理解される。
【００１５】
付勢要素１６は、作動装置ガイド１４の壁部３２の一部と、本体１２の付勢表面２６との間に配置される。非限定的な例として、付勢要素１６は、所定のバネ定数を有するバネである。しかし、形状記憶合金または他の方向力生成デバイスなどの他の付勢要素を用いてもよい。
【００１６】
形状記憶合金１８は、作動装置ガイド１４の壁部３２によって画定された空洞３０内に配置される。形状記憶合金１８は、本体１２のガイド部２２の第１の端部２８と、作動装置ガイド１４の壁部３２の内面とに連結される。例えばリングターミナル及びバレルクリンプなど、形状記憶合金１８を連結する任意の従来の手段を用いることができる。図示のように、形状記憶合金１８は、制御回路２０からの電流を受け入れる複数の電極３４を有するワイヤである。形状記憶合金１８は、任意の形状、サイズ及び数量の形状記憶合金要素を有してもよいことが理解される。
【００１７】
制御回路２０は、形状記憶合金１８と電気通信する。具体的には、制御回路２０は、形状記憶合金１８の電極３４に選択的に電流を提供する。制御回路２０は、電気エネルギー源などの他のコンポーネントと電気通信できることが理解される。制御回路２０は、形状記憶合金１８の電極３４への電流伝送を制御するためのプログラマブル機能３５を含むことができることが。さらに、理解される。
【００１８】
使用時において、作動装置システム１０は、例えば、車両ヘッドランプシステムなどの照明システムの可動コンポーネントに連結される。したがって、作動装置システム１０は、形状記憶合金１８の収縮及び伸長に基づいて、前記可動コンポーネントの動きを制御する。特定の実施形態において、電流が形状記憶合金１８に伝送され、これによって、形状記憶合金１８の長さが変動する。非限定的な例として、作動装置システム１０は、照明システムの光学コンポーネントに連結され、前記照明システムによって生成された光パターンを変更するために用いられる。この変更は、前記照明システムによって出射された複数の光線の方向、強度、色または全体的な分布の変更を含むことができることが理解される。他の変更も所望に行うことができる。さらなる例として、作動装置システム１０は、隣接する光学コンポーネントに対する光源の位置を制御するように、光源に連結できる。特定の実施形態において、作動装置システム１０は、車両ヘッドランプシステムのハイビーム機能及びロービーム機能を制御する。作動装置システム１０は、１つ以上の照明システムコンポーネント、例えば光源または光学的デバイスに連結できることが、理解される。
【００１９】
図２及び図３は、本発明の別の実施形態による光制御システム３６に連結された作動装置システム１０を示す。光制御システム３６は、光源３７及びビーム変更器３８を含む。光源３７は、従来の車両ヘッド電球である。しかし、例えば発光ダイオードなどの任意の光源を用いてもよい。
【００２０】
ビーム変更器３８は一体型レバーアーム４１を含み、このレバーアーム４１と共に実質的に「Ｌ」字型形状の要素を形成する。非限定的な例として、ビーム変更器３８は、シールド（これは、光源３７から出射された光線の一部をブロックする）、反射器（これは、光線の一部を反射し、必要に応じて、特定のビームパターン／画像を生成するように、前記反射された光線を方向付ける）、レンズ（これは、特定のビームパターン／画像を形成するように光線を方向付ける）、及びフィルタ（これは、光線のスペクトル特性を変更する）のうちの少なくとも１つを。さらに、含む。
【００２１】
図示のように、ビーム変更器３８は、段付き縁部３９を備えた実質的に水平方向のカットオフ線を備えたシールドであり、所望の照明パターンを生成する。しかし、ビーム変更器３８は、光線の変更を制御するための任意の形状、サイズ及び特徴を持ってもよいことが理解される。ビーム変更器３８は、ビーム変更器３８を作動装置システム１０の本体１２に回転可能に連結するための連結要素４０を。さらに、含む。連結要素４０は、ビーム変更器３８を回転可能に連結するための任意のデバイス（例えば、回転可能リベット）でもよい。特定の実施形態において、形状記憶合金１８は、光源３７及びビーム変更器３８のうちの少なくとも１つに連結されることが理解される。
【００２２】
使用時において、作動装置システム１０の本体１２の取付部２４は、ビーム変更器３８の軸４２を中心とする回転運動を制御することにより光源３７から出射された複数の光線を変更するように、ビーム変更器３８に連結される。具体的に、図２は、作動装置システム１０がデフォルトまたは「付勢」位置にある様子を示す。この位置において、ビーム変更器３８は第１の照明パターンを生成する。具体的には、付勢要素１６は、作動装置ガイド１４から遠のく方向で本体１２に力を付加し、これにより、ビーム変更器３８を前記デフォルト位置まで回転させる。図３は、作動装置システム１０が収縮位置にある様子を示す。この位置において、形状記憶合金１８の長さを縮ませるように形状記憶合金１８に電流が付加され、これにより、付勢要素１６が圧迫され、本体１２を空洞３０中に。さらに、後退させる。これにより、ビーム変更器３８は、軸４２を中心として時計回りに回転して、第２の光パターンを生成する。ビーム変更器３８は、任意の数の光パターンを生成するように、光源３７に対する任意の数の位置に配置できることが理解される。ビーム変更器３８に対する光源３７の位置は、任意の数の光パターンを生成するように調節できることが更に理解される。
【００２３】
図４及び図５は、本発明の別の実施形態による光制御システム３６′に連結された作動装置システム１０を示す。この光制御システム３６′は、下記の点を除いて、図２及び図３の光制御システム３６と同様のものである。図２及び図３の記載と同様の構造については、同じ符号で示してある。図２及び図３中に示す構造の変形については、同一符号にダッシュ記号（′）を付して示す。
【００２４】
図４及び図５に示すように、光制御システム３６′は、ビーム変更器３８′と、回転要素４６と、連結棒４８とを含む。非限定的な例として、ビーム変更器３８′は、シールド（これは、光源３７から出射された光線の一部をブロックする）、反射器（これは、光線の一部を反射し、必要に応じて、特定のビームパターン／画像を生成するように、前記反射された光線を方向付ける）、レンズ（これは、特定のビームパターン／画像を形成するように光線を方向付ける）、及びフィルタ（これは、光線のスペクトル特性を変更する）のうちの少なくとも１つを含む。図示のように、ビーム変更器３８′は、光源３７から出射された複数の光線を変化させるための段付き縁部３９′を有する。しかし、ビーム変更器３８′は、光線の変更の制御のために任意の形状、サイズ及び特徴を持ってもよいことが理解される。
【００２５】
回転要素４６は、実質的に「Ｌ」字型形状である。しかし、他の形状及びサイズを用いることができる。回転要素４６は、作動装置システム１０の本体１２に回転要素４６を回転可能に連結するための連結要素５０を更に含む。連結要素５０は、回転要素４６を回転可能に連結するための任意のデバイス（例えば、回転可能リベット）でもよい。
【００２６】
連結棒４８は、ビーム変更器３８′及び回転要素４６に回転可能に連結される。連結棒４８は、任意の形状及びサイズを持ってもよく、また、任意の回転可能な連結手段（例えば、リベット）を用いてビーム変更器３８′及び回転要素４６に連結してもよいことが理解される。
【００２７】
使用時において、作動装置システム１０の本体１２の取付部２４は、回転要素４６の軸５２を中心とする回転運動を制御するように、回転可能要素４６に連結される。回転要素４６が軸５２を中心として回転するにつれ、連結棒４８は、ビーム変更器３８′を所定の動き経路に沿ってガイドする。ビーム変更器３８′の特定の動き経路は、多様なシステム及び構造的制約に対して適合できる理解される。具体的に、図４は、作動装置システム１０がデフォルト位置または「付勢」位置にある様子を示す。この位置において、ビーム変更器３８′は第１の照明パターンを生成する。具体的には、付勢要素１６は、作動装置ガイド１４から遠のく方向で本体１２に力を付加し、これにより、ビーム変更器３８′を前記デフォルト位置まで回転させる。図５は、作動装置システム１０が収縮位置にある様子を示す。この位置において、形状記憶合金１８の長さを縮ませるように形状記憶合金１８に電流が付加され、これにより、本体１２を空洞３０中に。さらに、後退させる。その結果、ビーム変更器３８′は、軸４２′を中心として時計回りに回転して、第２の光パターンを生成する。ビーム変更器３８′は、任意の数の光パターンを生成するように、光源３７に対して任意の数の位置に配置できることが理解される。
【００２８】
図６及び図７は、本発明の別の実施形態による、光制御システム３６′′に連結された作動装置システム１０を示す。この光制御システム３６′′は、下記の点を除いて、図２及び図３の光制御システム３６と同様のものである。図２及び図３の記載と同様の構造については、同じ符号で示してある。図２及び図３中に示す構造の変形については、同一符号にダブルダッシュ記号（′′）を付して示す。
【００２９】
図６及び図７に示されるように、光制御システム３６′′は、ビーム変更器３８′′と、回転要素４６と、連結棒４８と、ガイド機構５４とを含む。非限定的な例として、ビーム変更器３８′′は、シールド（これは、光源３７から出射された光線の一部をブロックする）、反射器（これは、光線の一部を反射し、必要に応じて、特定のビームパターン／画像を生成するように、前記反射された光線を方向付ける）、レンズ（これは、特定のビームパターン／画像を形成するように光線を方向付ける）、及びフィルタ（これは、光線のスペクトル特性を変更する）のうちの少なくとも１つを含む。図示のように、ビーム変更器３８′′は、光源３７から出射された複数の光線を変化させるための段付き縁部３９′′を有する。しかし、ビーム変更器３８′′は、光線の変化の制御のために任意の形状、サイズ及び特徴を持ってもよいことが理解される。
【００３０】
回転要素４６は、実質的に「Ｌ」字型形状である。しかし、他の形状及びサイズを用いてもよい。回転要素４６は、回転要素４６を作動装置システム１０の本体１２に回転可能に連結するための連結要素５０を。さらに、含む。連結要素５０は、回転要素４６を回転可能に連結するための任意のデバイス（例えば、回転可能リベット）でもよい。
【００３１】
連結棒４８は、ビーム変更器３８′′及び回転要素４６に回転可能に連結される。連結棒４８は、任意の形状及びサイズを持ってもよく、また、任意の回転可能な連結手段（例えば、リベット）を用いてビーム変更器３８′′及び回転要素４６に連結できることが理解される。
【００３２】
ガイド機構５４は、ビーム変更器３８′′の動きを限定するように、ビーム変更器３８′′に隣接して配置される。図示のように、ガイド機構５４は、ビーム変更器３８′′の動きを、所定の動き経路に沿った直線移動に限定する。ガイド機構５４は、ガイドストップ５５を。さらに、含む。ガイドストップ５５は、ビーム変更器３８′′と係合し、これにより、ビーム変更器３８′′が、ガイドストップ５５を越えて。さらに、動くことを実質的に回避する。
【００３３】
使用時において、作動装置システム１０の本体１２の取付部２４は、回転要素４６の軸５２を中心とする回転運動を制御するように、回転要素４６と連結する。回転要素４６が軸５２を中心として回転するにつれ、連結棒４８は、ビーム変更器３８′′を所定の動き経路に沿ってガイドする。ビーム変更器３８′′の特定の動き経路は、多様なシステム及び構造的制約に合わせて適合できることが理解される。具体的に、図６は、作動装置システム１０がデフォルトまたは「付勢」位置にある様子を示す。この位置において、ビーム変更器３８′′は、第１の照明パターンを生成する。具体的には、付勢要素１６は、作動装置ガイド１４から遠のく方向で本体１２に力を付加し、これにより、ビーム変更器３８′′を前記デフォルト位置まで回転させる。図７は、作動装置システム１０が収縮位置にある様子を示す。この位置において、形状記憶合金１８を収縮させるように形状記憶合金１８に電流が付加され、これにより、本体１２を空洞３０中に。さらに、後退させる。その結果、ビーム変更器３８′′はガイドストップ５５から遠のく方向で、直線方向にスライドして、第２の光パターンを生成する。ビーム変更器３８′′は、任意の数の光パターンを生成するように、光源３７に対する任意の数の位置に配置できることが理解される。
【００３４】
図８及び図９は、本発明の別の実施形態による、光制御システム３６′′′に連結された作動装置システム１０を示す。この光制御システム３６′′′は、下記の点を除いて、図２及び図３の光制御システム３６と同様のものである。図２及び図３の記載と同様の構造については、同じ符号で示してある。図２及び図３中に示す構造の変形については、同一符号にトリプルダッシュ記号（′′′）を付して示す。
【００３５】
図８及び図９に示すように、光制御システム３６′′′は、ビーム変更器３８′′′と、回転要素４６と、連結棒４８とを含む。ビーム変更器３８′′′は、複数の光線を変更する実質的に矩形の変更器要素５６と、変更器要素５６を支持するハウジング５８とを含む。非限定的な例として、変更器要素５６は、シールド（これは、光源３７から出射された光線の一部をブロックする）と、反射器（これは、光線の一部を反射し、必要に応じて、特定のビームパターン／画像を生成するように、前記反射された光線を方向付ける）と、レンズ（これは、特定のビームパターン／画像を形成するように光線を方向付ける）と、フィルタ（これは、光線のスペクトル特性を変更する）とのうちの少なくとも１つを含む。ビーム変更器３８′′′及び変更器要素５６は、光線の変更を制御するための任意の形状、サイズ及び特徴を持ってもよいことが理解される。
【００３６】
回転要素４６は、実質的に「Ｌ」字型形状である。しかし、他の形状及びサイズを用いてもよい。回転要素４６は、回転要素４６を作動装置システム１０の本体１２に回転可能に連結するための連結要素５０を更に含む。連結要素５０は、回転要素４６を回転可能に連結するための任意のデバイス（例えば、回転可能リベット）でもよい。
【００３７】
連結棒４８は、ビーム変更器３８′′′のハウジング５８及び回転要素４６に回転可能に連結される。前記連結棒は、任意の形状及びサイズを持ってもよく、また、任意の回転可能連結（例えば、リベット）を用いてビーム変更器３８′′′及び回転要素４６に連結できることが理解される。
【００３８】
使用時において、作動装置システム１０の本体１２の取付部２４は、回転要素４６の軸５２を中心とする回転運動を制御するように、回転要素４６に連結される。回転要素４６が軸５２を中心として回転するにつれ、連結棒４８は、ビーム変更器３８′′′を所定の動き経路に沿ってガイドする。ビーム変更器３８′′′の特定の動き経路は、多様なシステム及び構造的制約に合わせて適合できることが理解される。具体的に、図８は、装置システム１０がデフォルトまたは「付勢」位置にある様子を示す。この位置において、ビーム変更器３８′は、第１の照明パターンを生成する。具体的には、付勢要素１６は、作動装置ガイド１４から遠のく方向で本体１２に力を付加し、これにより、ビーム変更器３８′′′を前記デフォルト位置まで回転させる。図５は、作動装置システム１０が収縮位置にある様子を示す。この位置において、形状記憶合金１８の長さを縮ませるように形状記憶合金１８に電流が付加され、これにより、本体１２を空洞３０中に。さらに、後退させる。その結果、ビーム変更器３８′′′は、横軸４２′を中心として反時計回りに回転して、第２の光パターンを生成する。ビーム変更器３８′′′は、任意の数の光パターンを生成するように、光源３７に対する任意の数の位置に配置できることが理解される。
【００３９】
作動装置システム１０は、複数の光パターンを生成するように、照明システムのコンポーネント（例えば、ビーム変更器３８、３８′、３８′′、３８′′′）の制御を提供する。さらに、作動システム１０は、ソレノイドベースの作動装置に関連する電磁環境両立性及び電圧の問題を最小化する。
【００４０】
前記の記載から、当業者であれば、本発明の本質的特性を容易に理解することができ、本発明のの意図及び範囲から逸脱することなく、本発明を多様な使用法及び条件に適合させるように、本発明に対して多様な変更及び改変を行うことができる。
【符号の説明】
【００４１】
１０  作動装置システム
１２  本体
１４  作動装置ガイド
１６  付勢要素
１８  形状記憶合金
２０  制御回路
２２  ガイド部
２４  取付部
２６  付勢表面
３０  空洞
３２  壁部
３４  電極
３５  プログラマブル機能
３６  光制御システム
３７  光源
３８  ビーム変更器
３９  段付き縁部
４０  連結要素
４１  レバーアーム
４２  軸
４６  回転要素
４８  連結棒
５０  連結要素
５２  軸
５４  ガイド機構
５５  ガイドストップ
５６  変更器要素
５８  ハウジング
【図１】
2010179916.tif 000003
【図２】
2010179916.tif 000004
【図３】
2010179916.tif 000005
【図４】
2010179916.tif 000006
【図５】
2010179916.tif 000007
【図６】
2010179916.tif 000008
【図７】
2010179916.tif 000009
【図８】
2010179916.tif 000010
【図９】
2010179916.tif 000011